(57)【要約】【課題】光ビーム走査部を収容するケーシングの内部を確実に密閉するとともに、前記ケーシングを密閉するための弾性部材の耐久性を向上させる。【解決手段】光ビーム走査部を収容するケーシング７０の壁部１０７の端面１０５には、その両側部に円弧状の面取部１０８が設けられ、前記ケーシング７０の壁部１０７の端面１０５に弾性部材１１０が配置された状態で、光学部カバー１００が前記ケーシング７０に装着される。弾性部材１１０は、その幅方向の寸法がケーシング７０の壁部１０７の幅方向の寸法より大きく若しくは略同等に形成される。【選択図】図６
2004118068.tif 000002
【特許請求の範囲】
【請求項１】
光ビームを出射する光源部と、
前記光源部から出射される前記光ビームを偏向して被走査体に照射する光ビーム走査部と、
少なくとも前記光ビーム走査部を収容するケーシングと、
前記ケーシングに装着される蓋部材と、
前記ケーシングの周縁部と前記蓋部材との間に介装される弾性部材と、
を備え、
前記弾性部材は、前記周縁部に当接する平面部を有し、前記周縁部は、前記弾性部材の前記平面部が当接する端面の両側部に、前記平面部から離間する方向に湾曲する面取部を有することを特徴とする光走査装置。
【請求項２】
請求項１記載の光走査装置において、
前記弾性部材の前記平面部の幅は、前記周縁部の前記端面の幅より大きくまたは略同等に形成されることを特徴とする光走査装置。
【発明の詳細な説明】
【０００１】
【発明の属する技術分野】
本発明は、光源部から出射された光ビームを、光ビーム走査部を介して被走査体に照射することにより、画像記録または画像読み取りを行う光走査装置に関する。
【０００２】
【従来の技術】
例えば、蓄積性蛍光体（輝尽性蛍光体）を利用して、人体等の被写体の放射線画像情報を一旦記録し、この放射線画像情報を写真フイルム等の写真感光材料等に再生し、あるいはＣＲＴ等に可視像として出力させるシステムが知られている。
【０００３】
蓄積性蛍光体は、放射線（Ｘ線、α線、β線、γ線、電子線、紫外線等）の照射によりこの放射線エネルギの一部を蓄積し、後に可視光等の励起光の照射によって、蓄積されたエネルギに応じて輝尽発光を示す蛍光体をいう。この蓄積性蛍光体は、通常、蓄積性蛍光体シートとして使用されており、上記システムでは、例えば、被写体の放射線画像情報が一旦記録された蓄積性蛍光体シートを副走査方向に搬送しながら、該蓄積性蛍光体シートに対し励起光を主走査方向（副走査方向に略直交する方向）に照射して前記放射線画像情報を光電的に読み取る光走査装置が採用されている。
【０００４】
さらに、上記システムでは、蓄積性蛍光体シートから読み取られた放射線画像情報を、例えば、写真フイルムに再生するために、前記写真フイルムを副走査方向に搬送しながら、該写真フイルムに光ビームを主走査方向に照射する光走査装置が採用されている。
【０００５】
この種の光走査装置は、例えば、図７に示されるように、光ビームを出射するレーザユニット１と、このレーザユニット１から出射された前記光ビームを偏向して図示しない被走査体に照射する光ビーム走査部２とを備えている。前記光ビーム走査部２は、回転多面鏡であるポリゴンミラー３と、レンズ４と、前記光ビームを偏向させるための反射板５とを有している。
【０００６】
前記光ビーム走査部２は、ケーシング６に収容され、光ビーム走査部２に塵埃等が浸入することを防止するためにカバー７が装着されている。
【０００７】
また、ケーシング６の内部のレンズ４に弾性体８を設け、カバー７をケーシング６に装着した際、該カバー７に前記弾性体８が押圧されて圧縮された状態となるように構成している。
【０００８】
その結果、弾性体８によってポリゴンミラー３が反射板５側から隔離され、特にポリゴンミラー３側に塵埃等を含んだ空気が流入して付着することを防止することができる（例えば、特許文献１参照。）。
【０００９】
【特許文献１】
特開平８−２４８３４２号公報
【００１０】
【発明が解決しようとする課題】
ところで、カバー７をケーシング６に装着した場合、弾性体８の側面８ａに当接するカバー７の部位が平面状であるため、弾性体８の側面８ａにカバー７を押圧した際、前記弾性体８は、図８に示す弾性体８の変形前の状態から、図９に示すように、レンズ４側に変形するとともに、直交する両側方向にも変形する。従って、前記カバー７に対して相当に大きな押圧力を付勢しなければならない。その結果、カバー７を装着する際の組み立て作業が煩雑であり、作業効率が低下するという問題がある。
【００１１】
一方、カバー７に対する押圧力が小さくてすむように弾性体８のカバー７側への突出量を少なく設定すると、該カバー７とレンズ４との間に隙間が生じてしまうという問題がある。その結果、ケーシング６の内部におけるレンズ４の近傍より空気がポリゴンミラー３側へと流入するおそれがある。
【００１２】
本発明は、前記の課題を考慮してなされたものであり、少なくとも光ビーム走査部を収容するケーシングの内部を確実に密閉できるとともに、密閉のための弾性部材の耐久性を向上させることが可能な光走査装置を提供することを目的とする。
【００１３】
【課題を解決するための手段】
前記の目的を達成するために、本発明は、光ビームを出射する光源部と、
前記光源部から出射される前記光ビームを偏向して被走査体に照射する光ビーム走査部と、
少なくとも前記光ビーム走査部を収容するケーシングと、
前記ケーシングに装着される蓋部材と、
前記ケーシングの周縁部と前記蓋部材との間に介装される弾性部材と、
を備え、
前記弾性部材は、前記周縁部に当接する平面部を有し、前記周縁部は、前記弾性部材の前記平面部が当接する端面の両側部に、前記平面部から離間する方向に湾曲する面取部を有することを特徴とする。
【００１４】
本発明によれば、ケーシングの周縁部と蓋部材との間に弾性部材を介装し、前記蓋部材をケーシングに装着する際、該蓋部材によって弾性部材を押圧する。このとき、弾性部材の平面部は、当接するケーシングの前記周縁部の端面の両側部に形成された面取部に沿って変形する。従って、ケーシングの周縁部に当接する弾性部材に応力集中が生じることがなく、押圧状態が長期に渡ったとしても前記弾性部材の耐久性が低下することがない。
【００１５】
また、弾性部材は、押圧方向にのみ変形し、側方向に変形することがないため、少ない押圧力で面取部を介して周縁部に弾性部材を当接させ、ケーシングと蓋部材との気密性を容易に実現することができる。
【００１６】
【発明の実施の形態】
本発明に係る光走査装置について好適な実施の形態を挙げ、添付の図面を参照しながら以下詳細に説明する。
【００１７】
図１において、参照符号１０は、本発明の実施の形態に係る光走査装置を示す。
【００１８】
光走査装置１０は、被走査体、例えば、蓄積性蛍光体シート１２を鉛直下方向（矢印Ｘ方向）に副走査搬送する副走査搬送手段１４と、レーザ光（光ビーム）Ｌを出射する光源部１６と、前記光源部１６から出射される前記レーザ光Ｌを偏向し、副走査搬送されている前記蓄積性蛍光体シート１２に対して前記レーザ光Ｌを略水平方向（矢印Ｙ方向）に照射して主走査する光ビーム走査部１８と、前記レーザ光Ｌの照射により前記蓄積性蛍光体シート１２から発せられる輝尽発光光を集光し、該蓄積性蛍光体シート１２に担持された放射線画像情報を光電的に読み取る読み取り部２０とを備え、これらがユニット基台２２（図２参照）に装着されている。
【００１９】
副走査搬送手段１４は、鉛直方向に互いに所定間隔離間して配置される第１および第２ローラ対２４、２６を備える。第１および第２ローラ対２４、２６は、モータ２８に連結された図示しない伝動手段を介して同期的に回転駆動される。
【００２０】
図２および図３に示されるように、ユニット基台２２（図２参照）には、光源ユニット３０が装着される。光源部１６は、前記光源ユニット３０内に配置される光源、例えば、半導体レーザ３２を備える。光源ユニット３０内には、半導体レーザ３２から下方向に出射されるレーザ光Ｌを水平方向に反射させるための反射ミラー３４が組み込まれる。前記光源ユニット３０の側部には、前記反射ミラー３４で反射された前記レーザ光Ｌを光ビーム走査部１８側に導くための開口部３６が形成される。
【００２１】
図１〜図３に示されるように、光ビーム走査部１８は光学ユニット５０内に組み込まれており、この光ビーム走査部１８は、ポリゴンアセンブリ５２と、第１および第２ｆθレンズ５４、５６と、シリンドリカルレンズ５８と、シリンドリカルミラー６０とを備える。ポリゴンアセンブリ５２は、ポリゴンミラー６２とドライバー６４とを有する。
【００２２】
光学ユニット５０はケーシング７０を備え、このケーシング７０は、ユニット基台２２に対し取り付け手段７２を介して着脱自在に構成される。なお、ケーシング７０の材質としては、ポロン（登録商標）を使用することができる。
【００２３】
図２および図３に示されるように、取り付け手段７２は、ユニット基台２２に固定される位置決めピン７４ａ、７４ｂと、ケーシング７０の一方の側部に設けられて前記位置決めピン７４ａに係合する切り欠き部７６と、前記ケーシング７０の他方の側部に形成されて前記位置決めピン７４ｂが挿入される孔部７８とを備える。
【００２４】
ケーシング７０の両側部には、鉛直方向に長尺な長孔８０ａ〜８０ｄが形成される一方、ユニット基台２２には、ねじ孔８２ａ〜８２ｄが設けられる。長孔８０ａ〜８０ｄに挿入される各固定ピン８４の先端が、ねじ孔８２ａ〜８２ｄに螺合されることにより、ケーシング７０がユニット基台２２に固定される。
【００２５】
ケーシング７０は光学定盤８５（図３参照）を有し、この光学定盤８５にポリゴンアセンブリ５２、第１および第２ｆθレンズ５４、５６、シリンドリカルレンズ５８並びにシリンドリカルミラー６０が位置決め固定される。図１に示されるように、ケーシング７０には、シリンドリカルミラー６０により反射集光されたレーザ光Ｌを水平方向に出射するための光ビーム出射口８６が形成され、この光ビーム出射口８６に光ビーム透過ガラス８８が装着される。
【００２６】
図３に示されるように、ケーシング７０の側部には、光源部１６から出射されたレーザ光Ｌをポリゴンミラー６２に導くための開口部９４が形成され、この開口部９４に近接してカバーガラス９６が配置されている。図２に示されるように、ポリゴンアセンブリ５２にポリゴンカバー９８が配設された後、ケーシング７０に光学部カバー（蓋部材）１００が装着される。
【００２７】
その際、ケーシング７０の側面に突出するように設けられた複数の係合爪１０２と、前記光学部カバー１００に形成され、該光学部カバー１００を装着した際に前記係合爪１０２に対応する位置に形成される複数の係合孔１０４とがそれぞれ係合することにより、前記光学部カバー１００がケーシング７０に固定される。
【００２８】
図４〜図６に示されるように、ケーシング７０の光学部カバー１００が装着される周縁部端面１０５には、その略中央部において前記ケーシング７０の端面１０５の幅方向の略中央部が所定幅だけ平面状に形成され、その両側部には、円弧状に面取りされた面取部１０８（図５および図６参照）がそれぞれ形成されている。
【００２９】
そして、図６に示されるように、前記ケーシング７０の壁部１０７の端面１０５に配置される弾性部材１１０に光学部カバー１００が圧接することにより、前記ケーシング７０の内部が確実に密閉される。弾性部材１１０は、図５に示されるように、断面略長方形状に形成されるとともに、弾性部材１１０の幅方向の寸法Ａは、弾性部材１１０が装着されるケーシング７０の壁部１０７の端面１０５の幅方向の寸法Ｂより大きく若しくは略同等に形成される（Ａ≧Ｂ）。なお、弾性部材１１０は、例えば、ＥＰＤＭ（Ｅｔｈｙｌｅｎｅ‐Ｐｒｏｐｙｌｅｎｅ‐Ｄｉｅｎｅ‐Ｍｅｔｈｙｌｅｎｅ　ｌｉｎｋａｇｅ）ゴム、発泡ゴム、シリコンゴム、ネオプレンゴム等からなる。
【００３０】
また、前記弾性部材１１０は、例えば、接着剤、両面テープ等によってケーシング７０の壁部１０７の端面１０５に沿って装着されている。
【００３１】
図１に示されるように、読み取り部２０は、レーザ光Ｌの照射によって蓄積性蛍光体シート１２から発せられる輝尽発光光を集光する集光ガイド１１２を備える。この集光ガイド１１２の端部にはフォトマルチプライヤ１１４が接続されており、前記集光ガイド１１２の先端に近接して、輝尽発光光を前記集光ガイド１１２に反射させる反射ミラー１１６が配置される。
【００３２】
本発明の実施の形態に係る光走査装置１０は、基本的には以上のように構成されるものであり、次にその動作並びに作用効果について説明する。
【００３３】
放射線画像情報が記録された蓄積性蛍光体シート１２は、副走査搬送手段１４を構成するモータ２８の駆動作用下に回転駆動される第１および第２ローラ対２４、２６に挟持され、矢印Ｘ方向（鉛直下方向）に副走査搬送される。
【００３４】
その際、図３に示されるように、光源部１６を構成する半導体レーザ３２からレーザ光Ｌが出射され、このレーザ光Ｌが一旦鉛直下方向に進んだ後、反射ミラー３４で反射されて光源ユニット３０の開口部３６からケーシング７０の開口部９４を介してカバーガラス９６を透過する。さらに、レーザ光Ｌは、ポリゴンミラー６２に照射されてこのポリゴンミラー６２の回転作用下に偏向される。このレーザ光Ｌは、第１および第２ｆθレンズ５４、５６とシリンドリカルレンズ５８とを透過してシリンドリカルミラー６０に照射され、このシリンドリカルミラー６０で水平方向に反射される。
【００３５】
このため、レーザ光Ｌは、光ビーム透過ガラス８８を透過して光ビーム出射口８６から矢印Ｙ方向に導出され、図１に示されるように、矢印Ｘ方向に副走査搬送されている蓄積性蛍光体シート１２の記録面に前記レーザ光Ｌが略水平方向に指向して照射され、主走査が行われる。このレーザ光Ｌの照射により蓄積性蛍光体シート１２の記録面から輝尽発光光が生じ、この輝尽発光光が集光ガイド１１２を介して集光され、フォトマルチプライヤ１１４により光電的に読み取られる。
【００３６】
ところで、本発明の実施形態では、ケーシング７０の内部を密閉するために、該ケーシング７０と光学部カバー１００との間に弾性部材１１０が介装されている。図５に示されるように、この弾性部材１１０は、その幅方向の寸法Ａがケーシング７０の壁部１０７の端面１０５の幅方向の寸法Ｂより大きく若しくは略同等に形成されている（Ａ≧Ｂ）。
【００３７】
また、ケーシング７０の壁部１０７の端面１０５には、その両側部側に円弧状に面取りされた面取部１０８が形成されている。
【００３８】
このため、弾性部材１１０が装着されたケーシング７０に光学部カバー１００が装着されると、図６に示されるように、光学部カバー１００の内周面によって弾性部材１１０がケーシング７０側へと押圧される。この場合、ケーシング７０の端面１０５によって弾性部材１１０が保持される一方、弾性部材１１０の幅方向の両側部側が面取部１０８に沿ってケーシング７０側へと変形する。
【００３９】
その結果、弾性部材１１０が押圧方向と直交する方向に変形することがほとんどなく、ケーシング７０に押圧される方向にのみ変形するため、少ない押圧力で弾性部材１１０をケーシング７０の壁部１０７に密着させ、前記ケーシング７０の内部を密閉することができる。これにより、ケーシング７０の内部を弾性部材１１０を介して確実に密閉することができ、ケーシング７０の内部に湿気や塵埃等が浸入することを有効に阻止することが可能になる。また、ケーシング７０の内部へ外部光が浸入することも有効に阻止することができる。
【００４０】
また、ケーシング７０の端面１０５の両側部には、円弧状の面取部１０８が設けられているため、弾性部材１１０が光学部カバー１００による押圧作用下に変形する際、面取部１０８の表面に沿うように密着しながら弾性部材１１０が変形する。その結果、ケーシング７０の端面１０５の両側部に略直角な角部を有する場合と比較して、弾性部材１１０に応力集中が生じることがないため、弾性部材１１０の耐久性の低下を防止することができる。また、それに伴ってメンテナンスサイクルが長くなるため、メンテナンスにかかる工数を低減することができる。
【００４１】
さらに、弾性部材１１０が端面１０５に密着しながら変形するため、ケーシング７０と光学部カバー１００との間に隙間が生じることが防止され、より一層確実にケーシング７０の内部を密閉させ、防塵および遮光をすることができる。
【００４２】
さらにまた、弾性部材１１０は、断面が長方形からなる単純形状であるため、汎用品で対応することが可能となり、コストを低減することができる。
【００４３】
なお、本発明の実施形態では、ケーシング７０の壁部１０７の端面１０５に弾性部材１１０を配置するように構成しているが、光学部カバー１００のケーシング７０側に前記弾性部材１１０を配置し、前記弾性部材１１０をケーシング７０の端面１０５に当接させて該ケーシング７０の内部を密閉するように構成してもよい。
【００４４】
また、ケーシング７０の壁部１０７の厚さを３．６ｍｍ、弾性部材１１０の高さ方向および幅方向の寸法Ｂをそれぞれ６ｍｍとするとともに、前記ケーシング７０の端面１０５に形成される面取部１０８を半径０．３ｍｍの円弧状としてもよい。
【００４５】
【発明の効果】
本発明によれば、以下の効果が得られる。
【００４６】
すなわち、蓋部材をケーシングに装着する際、前記蓋部材によって弾性部材が押圧され、前記弾性部材が面取部に沿って変形するため、弾性部材のケーシングの端面との当接部分に応力集中が生じることがなく、前記弾性部材の耐久性が低下することがない。
【００４７】
また、面取部を介してケーシングと弾性部材とを当接させることにより、少ない押圧力でケーシングと弾性部材とを確実に密着させ、ケーシングの内部への塵埃の浸入等を防止することができる。これにより、光走査装置を長期に渡り安定して使用することができる。
【図面の簡単な説明】
【図１】本発明の実施の形態に係る光走査装置の概略構成説明図である。
【図２】前記光走査装置を構成する光源部および光ビーム走査部の分解斜視説明図である。
【図３】前記光源部および前記光ビーム走査部の平面説明図である。
【図４】前記光走査装置を構成するケーシング、弾性部材および光学部カバーの一部分解斜視説明図である。
【図５】前記ケーシングと蓋部材が装着される前の状態の縦断面説明図である。
【図６】前記ケーシングに蓋部材が装着された状態の縦断面説明図である。
【図７】従来技術に係る光走査装置の概略斜視説明図である。
【図８】従来技術に係る光走査装置のケーシングにカバーが装着される前の状態の縦断面図である。
【図９】従来技術に係る光走査装置のケーシングにカバーが装着された状態の縦断面図である。
【符号の説明】
１０…光走査装置　　　　　　　　　１２…蓄積性蛍光体シート
１４…副走査搬送手段　　　　　　　１６…光源部
１８…光ビーム走査部　　　　　　　２０…読み取り部
２２…ユニット基台　　　　　　　　３０…光源ユニット
３２…半導体レーザ　　　　　　　　５０…光学ユニット
５２…ポリゴンアセンブリ　　　　　７０…ケーシング
７４ａ、７４ｂ…位置決めピン　　　７６…切り欠き部
７８…孔部　　　　　　　　　　　　８６…光ビーム出射口
１００…光学部カバー　　　　　　　１０８…面取部
１１０…弾性部材
【図１】
2004118068.tif 000003
【図２】
2004118068.tif 000004
【図３】
2004118068.tif 000005
【図４】
2004118068.tif 000006
【図５】
2004118068.tif 000007
【図６】
2004118068.tif 000008
【図７】
2004118068.tif 000009
【図８】
2004118068.tif 000010
【図９】
2004118068.tif 000011